(57)【要約】      （修正有）【課題】シート部材を簡単に取り付けできると共に、シート部材が強風で煽られて外れることを抑制できる建物用遮蔽装置を提供する。【解決手段】シート部材１の一端縁部１ａに、左右方向に間隔を置いて固着した複数の第１スナップボタン３０を、サッシ枠の上枠２４に貼着した複数の第２スナップボタン３１にそれぞれ係止して取り付け、このシート部材１の他端縁部を連結部材で手摺に連結することで、シート部材１を採光部を遮蔽するように取り付けるようにして建物用遮蔽装置とする。シート部材１の裏面に当たった風が、そのシート部材１の一端縁部１ａの第１スナップボタン３０間の部分から逃げるので、シート部材１が強風で煽られても第１スナップボタン３０が第２スナップボタン３１から外れることがなく、シート部材１が外れることを抑制できる。【選択図】図７
0003177720.tif 000002
【実用新案登録請求の範囲】
【請求項１】
建物に設けられた採光部を遮蔽するシート部材と、
前記シート部材の上下方向の一端縁部を建物側における採光部の上方に取り付けるスナップボタンと、
前記シート部材の上下方向の他端縁部を、採光部よりも屋外側の付属設備に連結する連結部材を備え、
前記スナップボタンは、シート部材の一端縁部に左右方向に間隔を置いて複数固着した第１スナップボタンと、建物側に左右方向に間隔を置いて固着した複数の第２スナップボタンを有し、この第１スナップボタンと第２スナップボタンが相互に係止してシート部材の一端縁部を建物側における採光部の上方に着脱自在に取り付けできるようにしたことを特徴とする建物用遮蔽装置。
【請求項２】
前記第２スナップボタンは、ベース部材の裏面に貼着層を有すると共に、そのベース部材の表面に係止雄部又は係止雌部を有し、その係止雄部又は係止雌部はベース部材の裏面と表裏方向に離隔し、
前記第１スナップボタンは、シート部材１の裏面側に係止雌部又は係止雄部を有し、この係止雌部又は係止雄部を第２スナップボタンの係止雄部又は係止雌部に係止することで、シート部材の裏面と建物側の第２スナップボタンの貼着面との間に隙間が生じるようにした請求項１記載の建物用遮蔽装置。
【請求項３】
前記第２スナップボタンのベース部材は、その表面が裏面側周縁が表面側周縁よりも大きなテーパ状となったほぼ円錐形で、そのベース部材に設けた貼着層の面積が係止雄部又は係止雌部の面積よりも大きく、
この第２スナップボタンと第１スナップボタンを係止した状態で、シート部材の裏面とベース部材の表面との間に隙間が生じるようにした請求項２記載の建物用遮蔽装置。
【請求項４】
複数のシート部材を左右方向に順次連結してシート部材とし、
左右方向一方の第１のシート部材の左右方向他方の他側縁部と、左右方向他方の第２のシート部材の左右方向一方の一側縁部とに、相互に係止するスナップボタンを固着し、
前記スナップボタンを係止することで前記第１のシート部材と前記第２のシート部材を連結するようにした請求項１〜３いずれか１項記載の建物用遮蔽装置。
【請求項５】
前記第１のシート部材における左右方向他方の第１スナップボタンを、裏面側ボタンと表面側ボタンを表裏方向同一軸線上に有するものとし、
前記第２のシート部材における左右方向一方の第１スナップボタンを、裏面側ボタンと表面側ボタンを表裏方向同一軸線上に有するものとし、
前記第１のシート部材の裏面側ボタンが第２スナップボタンに係止し、その表面側ボタンに第２のシート部材の裏面側ボタンが係止するようにした請求項４記載の建物用遮蔽装置。
【請求項６】
前記シート部材を建物側の採光部の上方に取り付けた状態で、第２スナップボタンをシート部材で覆うようにした請求項１〜５いずれか１項記載の建物用遮蔽装置。
【請求項７】
前記連結部材は、シート部材１の他端縁部に左右方向に間隔を置いて形成した複数の孔に索条をそれぞれ挿通し、その各索条を付属設備に連結するものとし、
前記孔と第１スナップボタンは、上下方向において同一軸線上に設けてある請求項１〜６いずれか１項記載の建物用遮蔽装置。
【請求項８】
前記採光部の周縁には、当該採光部を構成する枠体を有し、前記枠体には、前記第２スナップボタンが貼着され、前記ベース部材の貼着層の大きさは、前記枠体の貼着面の大きさ以下である請求項２〜７いずれか１項に記載の建物遮蔽装置。
【考案の詳細な説明】
【技術分野】
【０００１】
本考案は、建物の出入口用サッシ、窓などの採光部の屋外側に取り付けて太陽光や屋外からの視界を遮蔽する建物用遮蔽装置に関する。
【背景技術】
【０００２】
建物の出入口用サッシ、窓などの採光部は、屋内に太陽光を採り入れたり、屋内から屋外の視界を確保するものであるが、夏季などに太陽光が屋内に入ることを阻止したり、屋外から屋内が見えないようにする場合がある。
このような場合に用いる遮蔽装置（設備）が特許文献１に開示されている。
この遮蔽装置は、シート部材（シート体）の上縁部をシート固定金具でサッシ枠の上部に固定し、該シート部材の下縁部を固定部材で手摺に固定することでサッシ枠と手摺とに渡ってシート部材を取り付け、そのシート部材によって太陽光や屋外からの視界を遮蔽するものである。
【先行技術文献】
【特許文献】
【０００３】
【特許文献１】特開２００３−３２８４３１号公報
【考案の概要】
【考案が解決しようとする課題】
【０００４】
前述した従来の遮蔽装置は、そのシート固定金具が、サッシ枠の上部に、その上部を挟持するように取り付けられるサッシ挟持部と、面ファスナーが固着されたシート係止部を備え、シート部材の上縁部の全長に渡って固着した面ファスナーを前記面ファスナーに係止することでシート部材の上縁部をサッシ枠の上部に固着しているので、次の課題がある。
【０００５】
第１には、サッシ枠の上部にシート固定金具のサッシ挟持部を、その上部を挟持するように取り付ける作業は面倒であるから、シート固定金具のサッシ枠の上部への取り付けが容易ではない。
しかも、サッシ枠の上部の形状が異なる場合には、その上部をサッシ挟持部で挟持できないことがあるから、サッシ枠の上部の形状によってはシート固定金具を取り付けできずに、シート部材を取り付けできないことがある。
【０００６】
第２には、シート部材の上縁部の全長が面ファスナーでシート固定金具に連続して固着して取り付けてあるから、シート部材の重み、強風などにより、その面ファスナーの長手方向の端部が外れはじめると順次連続して外れ、最終的に面ファスナーのすべてが外れる恐れがある。
しかも、シート部材の全長に当たる風の全てが面ファスナーを外す力として負荷するから、強風によって面ファスナーが外れてシート部材の上縁部がサッシ枠から外れ易い。
【０００７】
本考案は、シート部材を建物側に、その建物側の形状に制約されずに、簡単に取り付けできると共に、シート部材が強風で煽られて建物側から外れることを抑制できる建物用遮蔽装置とすることを目的とする。
【課題を解決するための手段】
【０００８】
本考案は、建物に設けられた採光部を遮蔽するシート部材と、
前記シート部材の上下方向の一端縁部を建物側における採光部の上方に取り付けるスナップボタンと、
前記シート部材の上下方向の他端縁部を、採光部よりも屋外側の付属設備に連結する連結部材を備え、
前記スナップボタンは、シート部材の一端縁部に左右方向に間隔を置いて複数固着した第１スナップボタンと、建物側に左右方向に間隔を置いて固着した複数の第２スナップボタンを有し、この第１スナップボタンと第２スナップボタンが相互に係止してシート部材の一端縁部を建物側における採光部の上方に着脱自在に取り付けできるようにしたことを特徴とする建物用遮蔽装置である。
【０００９】
本考案の建物用遮蔽装置は、前記第２スナップボタンは、ベース部材の裏面に貼着層を有すると共に、そのベース部材の表面に係止雄部又は係止雌部を有し、その係止雄部又は係止雌部はベース部材の裏面と表裏方向に離隔し、
前記第１スナップボタンは、シート部材１の裏面側に係止雌部又は係止雄部を有し、この係止雌部又は係止雄部を第２スナップボタンの係止雄部又は係止雌部に係止することで、シート部材の裏面と建物側の第２スナップボタンの貼着面との間に隙間が生じるようにできる。
【００１０】
このようにすれば、シート部材の裏面に当たった風が、その裏面と建物側の第２スナップボタンを貼着する面との間の隙間から逃げるので、シート部材が強風で煽られることで第１スナップボタンと第２スナップボタンが外れることを抑制することができる。
【００１１】
本考案の建物用遮蔽装置は、前記第２スナップボタンのベース部材は、その表面が裏面側周縁が表面側周縁よりも大きなテーパ状となったほぼ円錐形で、そのベース部材に設けた貼着層の面積が係止雄部又は係止雌部の面積よりも大きく、
この第２スナップボタンと第１スナップボタンを係止した状態で、シート部材の裏面とベース部材の表面との間に隙間が生じるようにできる。
【００１２】
このようにすれば、シート部材の裏面に当たった風が、その裏面とベース部材の表面との間の隙間から逃げるので、シート部材が強風で煽られることで、第１スナップボタンと第２スナップボタンが外れることを抑制することができる。
また、貼着層の面積が大きいので、第２スナップボタンの貼着力を大きくできる。
【００１３】
本考案の建物用遮蔽装置は、複数のシート部材を左右方向に順次連結してシート部材とし、
左右方向一方の第１のシート部材の左右方向他方の他側縁部と、左右方向他方の第２のシート部材の左右方向一方の一側縁部とに、相互に係止するスナップボタンを固着し、
前記スナップボタンを係止することで前記第１のシート部材と前記第２のシート部材を連結するようにできる。
【００１４】
このようにすれば、採光部の左右方向の寸法に応じたシート部材とすることができる。
【００１５】
本考案の建物用遮蔽装置は、前記第１のシート部材における左右方向他方の第１スナップボタンを、裏面側ボタンと表面側ボタンを表裏方向同一軸線上に有するものとし、
前記第２のシート部材における左右方向一方の第１スナップボタンを、裏面側ボタンと表面側ボタンを表裏方向同一軸線上に有するものとし、
前記第１のシート部材の裏面側ボタンが第２スナップボタンに係止し、その表面側ボタンに第２のシート部材の裏面側ボタンが係止するようにできる。
【００１６】
このようにすれば、シート部材が風で揺れ動いたときにスナップボタンが建物側に当たり、音が生じることがない。
また、第１のシート部材と第２のシート部材を上端面が面一となるように連結できる。
【００１７】
本考案の建物用遮蔽装置は、前記シート部材を建物側の採光部の上方に取り付けた状態で、第２スナップボタンをシート部材で覆うようにできる。
【００１８】
このようにすれば、太陽光が第２スナップボタンに直接照射されることがなく、第２スナップボタンの早期の劣化を防止できる。
【００１９】
本考案の建物用遮蔽装置は、前記連結部材は、シート部材の他端縁部に左右方向に間隔を置いて形成した複数の孔に索条をそれぞれ挿通し、その各索条を付属設備に連結するものとし、
前記孔と第１スナップボタンは、上下方向において同一軸線上に設けることができる。
【００２０】
このようにすれば、第１のシート部材と第２のシート部材を第１スナップボタンを係止して連結することで、第１・第２のシート部材の孔が合致するから、その孔に索条を挿入し易い。
【００２１】
本考案の建物用遮蔽装置は、前記採光部の周縁には、当該採光部を構成する枠体を有し、前記枠体には、前記第２スナップボタンが貼着され、前記ベース部材の貼着層の大きさは、前記枠体の貼着面の大きさ以下とすることができる。
【００２２】
このようにすれば、貼着層が枠体の貼着面からはみ出ることがないので、はがれにくい。
【考案の効果】
【００２３】
本考案によれば、採光部６の屋外側にシート部材１で遮蔽して太陽光、屋外からの視界を遮蔽できる。
また、シート部材１を建物側２に、その建物側の形状に制約されずに、簡単に取り付けできると共に、シート部材が強風で煽られて建物側から外れることを抑制できる。
【図面の簡単な説明】
【００２４】
【図１】シート部材を取り付けた状態の斜視図である。
【図２】シート部材を外した状態の斜視図である。
【図３】シート部材の正面図である。
【図４】図３のＡ−Ａ断面図である。
【図５】第１スナップボタンと第２スナップボタンを外した状態の断面説明図である。
【図６】第２スナップボタンの斜視図である。
【図７】第１スナップボタンと第２スナップボタンを係止した状態の断面説明図である。
【図８】シート部材を２枚として外した状態の斜視図である。
【図９】２枚のシート部材を分離した状態の正面図である。
【図１０】２枚のシート部材を連結した状態の正面図である。
【図１１】２枚のシート部材を第１スナップボタンで連結した状態の断面図である。
【図１２】連結部材の他の実施形態の説明図である。
【考案を実施するための形態】
【００２５】
図１と図２に示すように、本考案の建物用遮蔽装置は、シート部材１と、このシート部材１の上下方向の一端縁部１ａを建物側２に取り付けるスナップボタン３と、前記シート部材１の上下方向の他端縁部１ｂを付属設備４に固定する連結部材５を備え、図１に示すようにシート部材１を建物側２と付属設備４とに渡って取り付けることで採光部６の屋外側にシート部材１を取り付け、太陽光や屋外からの視界を遮蔽するようにする。
【００２６】
次に、各部材を詳細に説明する。
なお、シート部材１を取り付けた状態で上下方向に対向する縁部を一端縁部１ａ、他端縁１ｂとし、左右方向に対向した縁部を一側縁部１ｃ、他側縁部１ｄとして説明する。
シート部材１は、布などの可撓性を有し、かつ遮光性や遮蔽性を有する材料で、前述の一端縁部１ａ（図１では上縁部）、他端縁部１ｂ（図１で下縁部）と、左右一方の一側縁部１ｃ、他側縁部１ｄで矩形状としてある。
なお、シート部材１の形状は矩形に限ることはなく、採光部６の全部又は一部を太陽光や屋外からの視界を遮蔽できるものであれば良い。
建物側２とは、建物の外壁２０又は、外壁２０の開口部に取り付けたサッシ２１で、そのサッシ２１はサッシ枠２２に障子２３を開閉自在に装着してあり、この実施の形態ではベランダに出入りする出入口用サッシで、障子２３のガラス部分、又はサッシ枠２２の障子２３を開放した部分が採光部６である。
【００２７】
スナップボタン３は、シート部材１の一端縁部１ａに左右方向に間隔を置いて固着した複数の第１スナップボタン３０と、建物側２の採光部６の上方、例えばサッシ枠２２の上枠２４に長手方向に間隔を置いて貼着した複数の第２スナップボタン３１を備え、この第１スナップボタン３０と第２スナップボタン３１は係脱自在、例えば一方が係止雄部を有するスナップボタン、他方が係止雌部を有するスナップボタンで、シート部材１の一端縁部１ａを建物側２に着脱自在に取り付けできるようにしてある。
前述の第２スナップボタン３１は貼着に限らず、種々の固着手段にて建物側２に固着することもできる。
【００２８】
このように、第２スナップボタン３１はサッシ枠２２の上枠２４に貼着して取り付けてあるので、上枠２４の形状に関係なく第２スナップボタン３１を簡単に取り付けできる。
しかも、第２スナップボタン３１を外壁２０に貼着して取り付けることができるし、開閉しない窓などであれば、そのガラスに貼着して取り付けることができる。
これらが相俟って、シート部材１を建物側２に、その建物側２の形状に制約されずに、簡単に取り付けできる。
なお、第２スナップボタン３１はサッシ枠２２の上枠２４に貼着して取り付ける場合においては、ベース部材３７の貼着層３８の大きさは、前記枠体の貼着面の大きさ以下であることが好ましい。つまり、本実施例においては上枠２４の上下方向の寸法より、ベース部材３８の貼着層３８のうち、上枠の上下方向と同方向における寸法が同じ大きさかそれ以下であることが好ましい。このような構成とすることで、上枠２４から、貼着層３８がはみ出ることがないので、はがれにくい。
【００２９】
また、シート部材１の一端縁部１ａの左右方向に間隔を置いた複数の個所をスナップボタン３で建物側２にそれぞれ係止しているので、シート部材１が強風で煽られることで１つのスナップボタン３（第１スナップボタン３０と第２スナップボタン３１）が外れても、残りのスナップボタン３が連続的に外れることがない。
しかも、シート部材１の一端縁部１ａは、その左右のスナップボタン３間の部分が建物側２に取り付けられていないから、シート部材１に当たる風の一部が左右のスナップボタン３間においてシート部材１と上枠２４との間から逃げ、シート部材１の全面に当たる風の全てがスナップボタン３を外す力として負荷されることがない。
これらが相俟って、強風でシート部材１が煽られることで、スナップボタン３が外れてシート部材１の一端縁部１ａが建物側２（サッシ枠２２の上枠２４）から外れることを抑制できる。
【００３０】
付属設備４は、ベランダ４０の立上り部４１の上部に取り付けた手摺４２である。この付属設備４はバルコニーの手摺でも良いし、庭に付設された柵、１階開口部（サッシ）前方に設置されたウッドデッキ、テラスから付設された柵などでも良い。
つまり、付属設備４は採光部６よりも屋外側に位置するものであれば良い。
【００３１】
連結部材５は、シート部材１の他端縁部１ｂの左右方向に間隔を置いた複数位置の孔５０に挿通した紐やベルトなどの索条５１と、この索条５０の長手方向両側部を長さ調整可能に連結する連結具５２を備え、その索条５１を手摺４２に巻きつけて連結具５２で連結することで、シート部材１の他端縁部１ｂの長手方向複数個所を手摺４２に連結している。
前述の索条５１としては、紐状、ベルト状なんでもよく、材質も特に限定しない。また、例えばインシュロック体及びそれに類似したものを使用することもできる。
前述の連結具５２としては、コードストッパー、アジャスター、コキ、バックル、自在金具等が利用できる。
【００３２】
このように、索条５１の長さを調整して手摺４２に連結するので、シート部材１を上枠２４と手摺４２とに渡って取り付けたときのシート部材１の張り状態を調節できる。
また、連結具５２がコードストッパーであれば、つまみ５２ａを押して本体５２ｂの孔５２ｃに索条５１の両側部を挿通して引張り、つまみ５２から手を離すことで本体５２ｂに索条５１を動かないように固定でき、簡単な操作で手摺４２に連結できる。
なお、シート部材１は前述のように連結部材５によって付属設備４に確実に固定されているので、仮に強風により第１スナップボタン３０と第２スナップボタン３１が外れるようなことがあったとしても、飛ばされて紛失したり、歩行者などにあたって怪我をさせるようなこともない。
【００３３】
シート部材１の具体例を図３と図４に基づいて説明する。
矩形状のシート用布１０の４つの縁部分を図４に示すように芯地１１の回りに複数回折り返してシート部材１とし、このシート部材１の一端縁部１ａ、他端縁部１ｂ、一側縁部１ｃ、他側縁部１ｄの強度を向上している。
シート部材１の一端縁部１ａに第１スナップボタン３０を、芯地１１の部分で取り付けてあるので、その第１スナップボタン３０をしっかりと取り付けできる。
シート部材１の他端縁部１ｂの孔５０は芯地１１の部分に形成してあると共に、ハトメ５３を取り付けて補強してあるので、索条５１を強い力で引張りしても孔５０の部分が破断等することがない。
【００３４】
第１スナップボタン３０の左右方向の間隔と孔５０の左右方向の間隔は同一で、かつ左右方向に同一位置であり、各第１スナップボタン３０の中心と各孔５０の中心を結ぶ上下方向の軸線１２は相互に平行である。
つまり、第１スナップボタン３０と孔５０は上下方向の同一軸線上に位置している。
これにより、シート部材１の一端縁部１ａと他端縁部１ｂの左右方向の同一位置が上枠２４と手摺４２にそれぞれ取り付けられるので、シート部材１が左右方向にたるむことがない。
【００３５】
第１スナップボタン３０は図５に示すように、裏側ボタン３０ａと表側ボタン３０ｂを有し、その裏側ボタン３０ａがシート部材１の裏面１ｅ側に取り付けてあると共に、表側ボタン３０ｂがシート部材１の表面１ｆ側に取り付けてある。
この裏側ボタン３０ａの中心と表側ボタン３０ｂの中心は同一である。つまり、シート部材１の表裏方向同一軸線３２上に裏側ボタン３０ａ、表側ボタン３０ｂが取り付けてある。
裏側ボタン３０ａは円形の係止凹部となった係止雌部３３と取付部３４を有し、表側ボタン３０ｂは円形の環状突起となった係止雄部３５と取付部３６を有していると共に、取付部３４と取付部３６を加締めることで相互に連結されてシート部材１を挟持するように固着して取り付けられる。
前述の裏側ボタン３０ａが係止雄部を有し、表側ボタン３０ｂが係止雌部を有するものとしても良い。また、第１スナップボタン３０は裏側ボタン３０ａのみとしても良い。
【００３６】
第２スナップボタン３１は図５、図６に示すように、ベース部材３７と、このベース部材３７の裏面３７ａに設けた貼着層３８と、ベース部材３７の表面３７ｂに設けた係止雄部３９を有し、その貼着層３８を上枠２４の表面２４ａに貼着して取り付ける。
このように、貼着層３８の貼着力（接着力、粘着力）を利用して取り付けるので、第２スナップボタン３１を建物の外壁２０、ガラスなどにも取り付けることが可能である。
【００３７】
第１スナップボタン３０（裏面側ボタン３０ａ）の係止雌部３３と第２スナップボタン３１の係止雄部３９を係止して連結することで図７に示すように、シート部材１の一端縁部１ａを上枠２４に取り付けた状態で、シート部材１の一端面１ｇが第２スナップボタン３１よりも上方に位置し、第２スナップボタン３１をシート部材１で覆うようにしてある。
このように、第２スナップボタン３１がシート部材１で覆われるので、第２スナップボタン３１が直接太陽光にさらされることがなく、太陽光によって早期に劣化することがない。
【００３８】
第１スナップボタン３０（係止雌部３３）と第２スナップボタン３１（係止雄部３９）の係止強度は第２スナップボタン３１の貼着強度よりも小さい。
これにより、第１スナップボタン３０を第２スナップボタン３１から外すときに第２スナップボタン３１が上枠２４から外れることがなく、シート部材１の一端縁部１ａを上枠２４に取り付けたり、外したりできると共に、シート部材１が強風で煽られたときには第１スナップボタン３０と第２スナップボタン３１が外れ、第２スナップボタン３１が上枠２４から外れることがない。
【００３９】
第２スナップボタン３１のベース部材３７は、裏面３７ａが平坦面で、表面３７ｂは裏面側周縁３７ｃが大径で、表面側周縁３７ｄが小径となるようにテーパ形状で、ほぼ円錐形状で、貼着層３８と係止雄部３９は表裏方向に離隔していると共に、貼着層３８よりも係止雄部３９が小径となっている。
このようであるから、図７に示すようにシート部材１の裏面１ｅと上枠２４の表面２４ａとの間の隙間Ｓから、シート部材１の裏面１ｅに当たった風が逃げ易く、しかもベース部材３７の表面３７ｂとシート部材１の裏面１ｅとの間にも隙間があるので、その第１スナップボタン３０と第２スナップボタン３１との周縁から、シート部材１の裏面１ｅに当たった風が逃げ、シート部材１が強風で煽られても第１スナップボタン３０と第２スナップボタン３１が外れにくい。
しかも、貼着層３８の面積を大きくして第２スナップボタン３１の貼着力を強くできる。
【００４０】
ベース部材３７はシリコンなどの柔軟性を有する部材で、係止雄部３９は金属製部材である。
このようにベース部材３７は柔軟性を有する部材であるから、ベース部材３７を貼着する部分の大きさに合わせて容易に切断することが可能である。
貼着層３８としては、接着剤、粘着剤などを層状としたもの、両面接着テープなどが用いられ、その表面には剥離紙を設ける。
前述の第２スナップボタン３１はベース部材３７と係止雄部３９を一体としたものでも良い。例えば、樹脂材により成形したもの、金属材を加工したものが挙げられる。
なお、係止雄部３９は係止雌部としても良く、その場合には第１スナップボタン３０の裏側ボタン３０ａを係合雄部を有するものとする。
【００４１】
本考案の第２の実施の形態を説明する。
この実施の形態は、複数のシート部材１を左右方向に順次連結して左右方向の長さを調整できるようにした点が前述の実施の形態と相違し、他の構成は同様である。
図８に示すように、第１のシート部材１−１と第２のシート部材１−２を備え、この第１・第２のシート部材１−１，１−２は図９に示すように、前述したシート部材１と同様に、一端縁部１ａに複数の第１スナップボタン３０、他端縁部１ｂには複数の孔５０を有している。
【００４２】
図１０に示すように、第１のシート部材１−１の他側縁部１ｄに第２のシート部材１−２の一側縁部１ｃを重ね、図１１に示すように第１のシート部材１−１の第１スナップボタン３０の表側ボタン３０ｂと第２のシート部材１−２の第１スナップボタン３０の裏側ボタン３０ａを係止して連結することで第１のシート部材１−１の一端縁部１ａの他側寄りと第２のシート部材１−２の一端縁部１ａの一端寄りを連結する。
そして、第１のシート部材１−１、第２のシート部材１−２の一端縁部１ａを前述と同様にしてスナップボタン３で上枠２４に係止して取り付けると共に、他端縁部１ｂを前述と同様にして連結部材５で手摺４２に連結する。
このとき、第１のシート部材１−１の最も他側寄りの孔５０と第２のシート部材１−２の最も一側寄りの孔５０とに索条５１を挿通して手摺４２に連結する。
【００４３】
このようであるから、複数のシート部材１を準備しておくことで、左右方向の寸法の異なる採光部６に対応することができる。
【００４４】
また、第１のシート部材１−１の第１スナップボタン３０、第２のシート部材１−２の第１スナップボタン３０は、裏側ボタン３０ａと表側ボタン３０ｂを表裏方向の同一軸線上に有し、その裏側ボタン３０ａと表側ボタン３０ｂが係止するので、第１・第２のシート部材１−１，１−２の第１スナップボタン３０は図１１に示すように表裏方向に同一軸線上に係止して第２スナップボタン３１と連結された状態となるから、シート部材１が揺れ動くことでスナップボタン３が上枠２４に当たり、音が生じることがない。
つまり、第１スナップボタン３０の裏側ボタン３０ａと表側ボタン３０ｂを別々にシート部材１に取り付けるようにしても良いが、このようにすると表側ボタン３０ｂのシート部材１の裏面１ｅ側の部分が、シート部材１の揺れ動きで上枠２４に当たり、音が生じることがある。
【００４５】
また、第１のシート部材１−１の第１スナップボタン３０及び孔５０と第２のシート部材１−２の第１スナップボタン３０及び孔５０は、左右方向及び上下方向にそれぞれ同一位置であるので、第１のシート部材１−１と第２のシート部材１−２を、上端面１ｇが段差なく面一に連続して連結できると共に、２つの孔５０が同心状に重なるから、索条５１をスムーズに挿入できる。
【００４６】
前述の連結部材５は索条５１を用いたものに限ることはなく、スナップボタンとすることができる。
例えば、図１２に示すように、シート部材１の他端縁部１ｂに第１スナップボタン３０を左右方向に間隔を置いて固着し、ベランダ４０の立上り部４１の上部に第２スナップボタン３１を左右方向に間隔を置いて固着する。
そして、各第１スナップボタン３０と各第２スナップボタン３１をそれぞれ係止することで、シート部材１の他端縁部１ｂをベランダ４０の立上り部４１の上部に連結する。
【００４７】
このように連結部材５をスナップボタンとすれば、ベランダ４０の立上り部４１に手摺４２がなく、索条４１を巻掛けできない場合でもシート部材１の他端縁部１ｂをベランダ４０の立上り部４１の上部に連結できる。
【符号の説明】
【００４８】
１…シート部材、１−１…第１のシート部材、１−２…第２のシート部材、１ａ…一端縁部、１ｂ…他端縁部、１ｃ…一側縁部、１ｄ…他側縁部、１ｅ…裏面、１ｆ…表面、１ｇ…上端面、２…建物側、３…スナップボタン、４…付属設備、５…連結部材、６…採光部、２０…外壁、２４…上枠、３０…第１スナップボタン、３０ａ…裏側ボタン、３０ｂ…表側ボタン、３１…第２スナップボタン、３７…ベース部材、３８…貼着層、４２…手摺、５０…孔、５１…索条。
【図１】
0003177720.tif 000003
【図２】
0003177720.tif 000004
【図３】
0003177720.tif 000005
【図４】
0003177720.tif 000006
【図５】
0003177720.tif 000007
【図６】
0003177720.tif 000008
【図７】
0003177720.tif 000009
【図８】
0003177720.tif 000010
【図９】
0003177720.tif 000011
【図１０】
0003177720.tif 000012
【図１１】
0003177720.tif 000013
【図１２】
0003177720.tif 000014